(57)【要約】【課題】  ディスプレイのサイズの小さな携帯端末では、映像コンテンツとディスプレイのアスペクト情報が一致しない場合、映像コンテンツのアスペクト情報を基準に表示を行うと、映像の表示されない非映像領域が大部分を占める場合がある。【解決手段】  映像を表示するディスプレイの表示面にタッチパネルを配置し、除去操作検出領域設定部で映像コンテンツのアスペクト情報とディスプレイのアスペクト情報からタッチパネル上に除去操作検出領域を設定し、設定された除去操作検出領域内でのユーザ操作を選択入力部で検出し、ユーザが選択した領域と映像コンテンツのアスペクト情報とディスプレイのアスペクト情報によって除去領域判断部で除去する領域を判断し、非映像領域を削除した映像を表示する。【選択図】  図３
2009015573.tif 000002
【特許請求の範囲】
【請求項１】
ディスプレイ上にタッチパネル機能を備えた映像コンテンツを再生する映像機器において、
映像コンテンツの解像度とアスペクトを抽出する映像解析部と、
前記映像コンテンツのアスペクトと映像コンテンツを表示するディスプレイのアスペクトの対応状況によってタッチパネル上に除去操作検出領域を設定する除去操作検出領域設定部と、
前記タッチパネル上に設定された除去操作検出領域の任意の一部を選択する選択入力部と、
前記選択した除去操作検出領域の位置と、映像コンテンツのアスペクトと、映像コンテンツを表示するディスプレイのアスペクトの対応状況によって除去する領域を判断する除去領域判断部を備え、
前記判断した除去する領域を削除した映像に編集し表示することを特徴とする非映像領域を除去するタッチパネルを備えた映像機器。
【請求項２】
前記除去領域判断部はタッチパネル上の除去領域が四方（映像の上下左右）に存在する場合は、さらにディスプレイのアスペクトによって、映像の上下のみを除去するか、又は映像の左右のみを除去するか、又は映像の四方を除去するかを判断することを特徴とする請求項１に記載の非映像領域を除去するタッチパネルを備えた映像機器。
【請求項３】
前記除去操作検出領域設定部でタッチパネルの上下左右に設定された除去操作検出領域に触れることで、不要な領域を除去した映像を表示するようにしたことを特徴とする請求項２に記載の非映像領域を除去するタッチパネルを備えた映像機器。
【請求項４】
前記除去操作検出領域設定部でタッチパネルの上下左右に設定された除去操作検出領域で、除去サイズを指定することにより不要な領域を除去した映像を表示するようにしたことを特徴とする請求項２に記載の非映像領域を除去するタッチパネルを備えた映像機器。
【請求項５】
前記除去操作検出領域設定部でタッチパネルの上下左右に設定された除去操作検出領域で、2辺の除去サイズを同時に指定することにより不要な領域を除去した映像を表示するようにしたことを特徴とする請求項２に記載の非映像領域を除去するタッチパネルを備えた映像機器。
【請求項６】
ディスプレイ上にタッチパネル機能を備えた映像機器で映像コンテンツを再生する再生方法において、
映像コンテンツの解像度とアスペクトを抽出する映像解析ステップと、
前記映像コンテンツのアスペクトと映像コンテンツを表示するディスプレイのアスペクトの対応状況によってタッチパネル上に除去操作検出領域を設定する除去操作検出領域設定ステップと、
前記タッチパネル上に設定された除去操作検出領域の任意の一部を選択する選択入力ステップと、
前記選択した除去操作検出領域の位置と、映像コンテンツのアスペクトと、映像コンテンツを表示するディスプレイのアスペクトの対応状況によって除去する領域を判断する除去領域判断ステップを備え、
前記除去領域判断ステップで判断した除去する領域を削除した映像に編集し表示することを特徴とする表示方法。
【請求項７】
ディスプレイ上にタッチパネル機能を備えた映像機器で実行し前記映像機器で動作する映像コンテンツを再生するプログラムにおいて、
映像コンテンツの解像度とアスペクトを抽出する映像解析ステップと、
前記映像コンテンツのアスペクトと映像コンテンツを表示するディスプレイのアスペクトの対応状況によってタッチパネル上に除去操作検出領域を設定する除去操作検出領域設定ステップと、
前記タッチパネル上に設定された除去操作検出領域の任意の一部を選択する選択入力ステップと、
前記選択した除去操作検出領域の位置と、映像コンテンツのアスペクトと、映像コンテンツを表示するディスプレイのアスペクトの対応状況によって除去する領域を判断する除去領域判断ステップを備え、
前記除去領域判断ステップで判断した除去する領域を削除した映像に編集し表示することを特徴とするプログラム。
【発明の詳細な説明】
【技術分野】
【０００１】
本発明はタッチパネルを備えた映像機器での映像表示に関するものである。
【背景技術】
【０００２】
ディスプレイのサイズの小さな携帯端末では、映像コンテンツとディスプレイのアスペクト情報が一致しない場合、映像コンテンツのアスペクト情報を基準に表示を行うと、映像の表示されない非映像領域が大部分を占める場合がある。
従来のタッチパネルを備えたディスプレイでの映像表示に関する操作としては、タッチパネル上で拡大したい領域を囲む操作を行うことにより、映像の一部分を拡大するというものがある（例えば、特許文献１参照）。
【特許文献１】特許第3543397号
【発明の開示】
【発明が解決しようとする課題】
【０００３】
しかしながら、前記従来の構成では、ユーザが映像コンテンツ毎に拡大領域を具体的に指定する必要がある。また映像コンテンツとディスプレイのアスペクト情報により非映像領域が一意に決まる場合でも、非映像領域を削除するためには拡大する領域を囲むという操作が必要になる。
【０００４】
本発明は、前記従来の課題を解決するもので、映像コンテンツとディスプレイのアスペクト情報の不一致による非映像領域の除去を、非映像領域へのタッチパネル操作によって簡単に行える映像機器を提供することにある。
【課題を解決するための手段】
【０００５】
前記従来の課題を解決するため本発明は、ディスプレイ上にタッチパネル機能を備えた映像コンテンツを再生する映像機器において、映像コンテンツの解像度とアスペクトを抽出する映像解析部と、前記映像コンテンツのアスペクトと映像コンテンツを表示するディスプレイのアスペクトの対応状況によってタッチパネル上に除去操作検出領域を設定する除去操作検出領域設定部と、前記タッチパネル上に設定された除去操作検出領域の任意の一部を選択する選択入力部と、前記選択した除去操作検出領域の位置と、映像コンテンツのアスペクトと、映像コンテンツを表示するディスプレイのアスペクトの対応状況によって除去する領域を判断する除去領域判断部を備え、前記判断した除去する領域を削除した映像に編集し表示することを特徴とする。
【０００６】
また本発明は、前記除去領域判断部はタッチパネル上の除去領域が四方（映像の上下左右）に存在する場合は、さらにディスプレイのアスペクトによって、映像の上下のみを除去するか、又は映像の左右のみを除去するか、又は映像の四方を除去するかを判断することを特徴とする。
【０００７】
また本発明は、前記除去操作検出領域設定部でタッチパネルの上下左右に設定された除去操作検出領域に触れることで、不要な領域を除去した映像を表示するようにしたことを特徴とする。
【０００８】
また本発明は、前記除去操作検出領域設定部でタッチパネルの上下左右に設定された除去操作検出領域で、除去サイズを指定することにより不要な領域を除去した映像を表示するようにしたことを特徴とする。
【０００９】
また本発明は、前記除去操作検出領域設定部でタッチパネルの上下左右に設定された除去操作検出領域で、2辺の除去サイズを同時に指定することにより不要な領域を除去した映像を表示するようにしたことを特徴とする。
【００１０】
また本発明は、ディスプレイ上にタッチパネル機能を備えた映像機器で映像コンテンツを再生する再生方法において、映像コンテンツの解像度とアスペクトを抽出する映像解析ステップと、前記映像コンテンツのアスペクトと映像コンテンツを表示するディスプレイのアスペクトの対応状況によってタッチパネル上に除去操作検出領域を設定する除去操作検出領域設定ステップと、前記タッチパネル上に設定された除去操作検出領域の任意の一部を選択する選択入力ステップと、前記選択した除去操作検出領域の位置と、映像コンテンツのアスペクトと、映像コンテンツを表示するディスプレイのアスペクトの対応状況によって除去する領域を判断する除去領域判断ステップを備え、前記除去領域判断ステップで判断した除去する領域を削除した映像に編集し表示することを特徴とする。
【００１１】
また本発明は、ディスプレイ上にタッチパネル機能を備えた映像機器で実行し前記映像機器で動作する映像コンテンツを再生するプログラムにおいて、映像コンテンツの解像度とアスペクトを抽出する映像解析ステップと、前記映像コンテンツのアスペクトと映像コンテンツを表示するディスプレイのアスペクトの対応状況によってタッチパネル上に除去操作検出領域を設定する除去操作検出領域設定ステップと、前記タッチパネル上に設定された除去操作検出領域の任意の一部を選択する選択入力ステップと、前記選択した除去操作検出領域の位置と、映像コンテンツのアスペクトと、映像コンテンツを表示するディスプレイのアスペクトの対応状況によって除去する領域を判断する除去領域判断ステップを備え、前記除去領域判断ステップで判断した除去する領域を削除した映像に編集し表示することを特徴とする。
【発明の効果】
【００１２】
本発明によれば、映像を表示するディスプレイの表示面にタッチパネルを配置し、映像コンテンツのアスペクトとディスプレイのアスペクトの対応状況によってタッチパネル上に除去操作検出領域を設定し、設定された除去操作検出領域内でのユーザ操作を選択入力部で検出し、ユーザが選択した領域と映像コンテンツのアスペクト情報とディスプレイのアスペクト情報によって除去領域判断部で除去する領域を判断し、非映像領域を削除した映像を表示するので、ディスプレイサイズの小さい携帯端末上でアスペクト情報の不一致によって生じる非映像領域の除去と除去した映像の表示を、タッチパネル上での簡易な操作によって行うことができる。
【発明を実施するための最良の形態】
【００１３】
以下本発明の実施の形態について、図面を参照しながら説明する。
（実施の形態１）
図１は、携帯端末上で映像を表示した場合にタッチパネル上に設定する除去操作検出領域の設定例を示す。図２は、除去操作を行った場合の映像表示例を示す。非映像領域を除去する操作の概略について、図１と図２を用いて説明する。
【００１４】
図1のタッチパネル上の100は、上下方向の除去操作検出領域である。ユーザが上下どちらかの領域に接触すると、上下一定サイズの領域を除去した映像を表示する。図２の２００のような映像をディスプレイに表示している場合、ユーザが上下どちらかの除去操作検出領域に接触すると、上下同サイズの領域を除去した図２の２０１のような映像を表示する。
【００１５】
また図１のタッチパネル上の101は、左右方向の除去操作検出領域である。ユーザが左右どちらかの領域に接触すると、左右一定サイズの領域を除去した映像を表示する。
図２の２００のような映像をディスプレイに表示している場合、ユーザが左右どちらかの除去操作検出領域に接触すると、左右同サイズの領域を除去した図２の２０2のような映像を表示する。
【００１６】
本発明の実施の形態に係る構成による非映像領域の除去方法について、図３を用いて説明する。図３の３００は、例えば携帯電話の液晶ディスプレイであり、３０１は液晶ディスプレイ３００上に貼り付けられているタッチパネルである。入力された映像の表示のみを行う場合は、映像解析部３０２で表示に必要な情報の解析を行い表示する。非映像領域を除去する場合は、除去操作検出領域設定部３０３が映像解析部３０２から入力された映像のアスペクトを取得し、ディスプレイ３００のアスペクトとの対応状況によって、タッチパネル３０１上に除去操作検出領域３０６を上下左右の端から一定幅の領域として設定する。タッチパネル３０１上に設定された除去操作検出領域３０６をユーザがタッチペン等によって触れると、選択入力部３０５でタッチペンによる接触位置を検出する。その接触位置情報から、除去領域判断部３０４で左右方向の領域除去処理だという判断を行い、映像の左右の領域を一定幅削除した映像の表示を行う。またタッチパネル３０１上の除去操作検出領域以外の部分をユーザがタッチペン等によって触れると、非映像領域が除去された映像が表示されていた場合は、除去前の映像に戻すことができる。
【００１７】
図４は非映像領域を除去する場合のフローチャートを示している。非映像領域の除去方法に関して、図３と図４を用いて説明する。
まず携帯端末のディスプレイ３００上で映像表示を行う場合、入力された映像コンテンツのアスペクト情報を映像解析部３０２で解析する（Ｓ４０１）。
【００１８】
基本的には、映像コンテンツのアスペクト情報を保持して表示するため、ディスプレイ３００のアスペクト情報に応じた映像表示領域を設定してディスプレイ３００上に表示し、除去操作検出領域設定部３０３によりタッチパネル３０１上の上下左右の端に除去操作検出領域３０６を設定する。この時のディスプレイ３００のアスペクト情報と映像コンテンツのアスペクト情報の差異や、映像コンテンツ自体に非映像領域が含まれることによって、ディスプレイ３００上に非映像領域が表示されることになる（Ｓ４０２）。
【００１９】
ディスプレイ３００上に表示された非映像領域を除去するために、ユーザが不要と判断した非映像領域上に配置された除去操作検出領域に接触すると、接触した位置情報が選択入力部３０５に通知される（Ｓ４０３）。
除去領域判断部３０４では、選択入力部３０５から通知された位置情報から除去領域が上下方向か左右方向かを判断し、ディスプレイ３００のアスペクト情報と映像コンテンツのアスペクト情報から除去するサイズを算出する（Ｓ４０４）。
除去領域判断部３０４で判断された除去領域の方向とサイズをもとに映像の表示領域を設定し、ディスプレイ３００上に表示を行う（Ｓ４０５）。
【００２０】
図５は、ディスプレイ３００のアスペクトが４：３で映像コンテンツのアスペクトが１６：９の場合に除去操作を行った場合の表示遷移例である。
５００は、アスペクトが１６：９の映像コンテンツを表示している。この映像に対してタッチパネル３０１上の上下除去操作検出領域に接触すると、５０４のような上下の非映像領域を除去した表示を行う。
【００２１】
５０１は、アスペクトが４：３の映像コンテンツの左右に非映像領域を付加してアスペクトを１６：９にした映像コンテンツを表示している。この映像に対してタッチパネル３０１上の左右除去操作検出領域に接触すると、映像コンテンツのアスペクトが１６：９の場合は左右のみに非映像領域が存在することはないので、上下左右の非映像領域を除去した５０４のような表示を行う。またタッチパネル３０１上の上下除去操作検出領域に接触すると、５０３のような上下の非映像領域を除去した表示を行う。５０３の映像に対して更にタッチパネル３０１上の左右除去操作検出領域に接触すると、５０４のような左右の非映像領域を除去した表示を行う。
【００２２】
５０２は、アスペクトが４：３でレターボックスの映像コンテンツの左右に非映像領域を付加してアスペクトを１６：９にした映像コンテンツを表示している。この映像に対してタッチパネル３０１上の左右除去操作検出領域に接触すると、映像コンテンツのアスペクトが１６：９の場合は左右のみに非映像領域が存在することはないので、上下の非映像領域も同時に除去した５００のような上下左右の非映像領域を除去した表示を行う。その後は５００に対する操作を行うことで、５０４のような非映像領域を除去した表示を行う。この映像に対してタッチパネル３０１上の上下除去操作検出領域に接触すると、５０１のような上下の非映像領域を除去した表示を行う。その後は５０１に対する操作を行うことで、５０４のような非映像領域を除去した表示を行う。
【００２３】
図６は、ディスプレイ３００のアスペクトが１６：９で映像コンテンツのアスペクトが４：３の場合に除去操作を行った場合の表示遷移例である。
６００は、アスペクトが４：３の映像コンテンツを表示している。この映像に対してタッチパネル３０１上の左右除去操作検出領域に接触すると、６０３のような左右の非映像領域を除去した表示を行う。
【００２４】
６０１は、アスペクトが４：３でレターボックスの映像コンテンツを表示している。この映像に対してタッチパネル３０１上の上下除去操作検出領域に接触すると、映像コンテンツのアスペクトが４：３の場合は上下のみに非映像領域が存在することはないので、上下左右の非映像領域を除去した６０３のような表示を行う。またタッチパネル３０１上の左右除去操作検出領域に接触すると、６０２のような左右の非映像領域を除去した表示を行う。６０２の映像に対して更にタッチパネル３０１上の上下除去操作検出領域に接触すると、６０３のような上下の非映像領域を除去した表示を行う。
【００２５】
（実施の形態２）
図８は、本発明の実施の形態２の除去操作検出領域でのユーザ操作の図である。図８のユーザ操作による非映像領域の除去方法を、図３の構成図と図７の非映像領域を除去する場合のフローチャートを用いて説明する。
【００２６】
まず携帯端末のディスプレイ３００上で映像表示を行う場合、入力された映像コンテンツのアスペクト情報を映像解析部３０２で解析する（Ｓ７０１）。
基本的には、映像コンテンツのアスペクト情報を保持して表示するため、ディスプレイ３００のアスペクト情報に応じた映像表示領域を設定して、除去領域判断部３０４によりディスプレイ３００上に表示し、除去操作検出領域設定部３０３によりタッチパネル３０１上の上下左右の端に除去操作検出領域３０６を設定する。この時のディスプレイ３００のアスペクト情報と映像コンテンツのアスペクト情報の差異や、映像コンテンツ自体に非映像領域が含まれることによって、ディスプレイ３００上に非映像領域が表示されることになる（Ｓ７０２）。
【００２７】
ディスプレイ３００上に表示された非映像領域を除去するために、ユーザが不要と判断した非映像領域上に配置された除去操作検出領域で図８に示す操作を行う。まず除去サイズを設定する操作として、８００のように除去操作検出領域内でタッチペンにより垂直方向へ直線を描く操作を行う。タッチペンから連続して入力されるＸ座標が、最初に接触したＸ座標の＋３からー３の範囲にあり、Ｙ座標が増減どちらかの傾向にあるならば、タッチペンがタッチパネル３０１から離れるまでのＸ座標の最大値を除去サイズとする。その後除去を実行する操作として、８０１のように除去操作検出領域内でタッチペンにより水平方向へ直線を描く操作を行う。タッチペンから連続して入力されるＹ座標が、最初に接触したＹ座標の＋３からー３の範囲にあり、Ｘ座標が減少の傾向にあるならば、除去操作を実行する操作と判定する。これらのユーザ操作により、位置情報と除去サイズが選択入力部３０５に通知される（Ｓ７０３）。
【００２８】
除去領域判断部３０４では、選択入力部３０５から通知された位置情報から除去領域が上下方向か左右方向かを判断し、除去するサイズは選択入力部３０５から通知された値を使用する（Ｓ７０４）。
除去領域判断部３０４で判断された除去領域の方向と除去サイズをもとに映像の表示領域を設定し、ディスプレイ３００上に表示を行う（Ｓ７０５）。
【００２９】
（実施の形態３）
図９は、本発明の実施の形態３の除去操作検出領域でのユーザ操作の図である。図９のユーザ操作による非映像領域の除去方法を、図３の構成図と図７の非映像領域を除去する場合のフローチャートを用いて説明する。
【００３０】
まず携帯端末のディスプレイ３００上で映像表示を行う場合、入力された映像コンテンツのアスペクト情報を映像解析部３０２で解析する（Ｓ７０１）。
基本的には、映像コンテンツのアスペクト情報を保持して表示するため、ディスプレイ３００のアスペクト情報に応じた映像表示領域を設定して、除去領域判断部３０４によりディスプレイ３００上に表示し、除去操作検出領域設定部３０３によりタッチパネル３０１上の上下左右の端に除去操作検出領域３０６を設定する。この時のディスプレイ３００のアスペクト情報と映像コンテンツのアスペクト情報の差異や、映像コンテンツ自体に非映像領域が含まれることによって、ディスプレイ３００上に非映像領域が表示されることになる（Ｓ７０２）。
【００３１】
ディスプレイ３００上に表示された非映像領域を除去するために、ユーザが不要と判断した非映像領域上に配置された除去操作検出領域で図９に示す操作を行う。まず左右方向の除去サイズを設定する操作として、９００のように左右方向の除去操作検出領域内でタッチペンにより垂直方向へ直線を描く操作を行う。タッチペンから連続して入力されるＸ座標が、最初に接触したＸ座標の＋３からー３の範囲にあり、Ｙ座標が増減どちらかの傾向にあるならば、タッチペンがタッチパネル３０１から離れるまでのＸ座標の最大値を左右方向の除去サイズとする。次に上下方向の除去サイズを設定する操作として、９０１のように上下方向の除去操作検出領域内でタッチペンにより水平方向へ直線を描く操作を行う。タッチペンから連続して入力されるＹ座標が、最初に接触したＹ座標の＋３からー３の範囲にあり、Ｘ座標が増減どちらかの傾向にあるならば、タッチペンがタッチパネル３０１から離れるまでのＹ座標の最大値を上下方向の除去サイズとする。その後除去を実行する操作として、９０２のように上下方向の除去操作検出領域内でタッチペンにより垂直方向へ直線を描く操作を行う。タッチペンから連続して入力されるＸ座標が、最初に接触したＸ座標の＋３からー３の範囲にあり、Ｙ座標が減少の傾向にあるならば、除去操作を実行する操作と判定する。これらのユーザ操作により、上下左右方向それぞれの除去サイズが除去領域判断部３０４に通知される（Ｓ７０３）。
【００３２】
除去領域判断部３０４では、選択入力部３０５から通知された上下左右の除去サイズを使用して除去領域を判断する（Ｓ７０４）。
除去領域判断部３０４で判断された除去領域の方向と除去サイズをもとに映像の表示領域を設定し、ディスプレイ３００上に表示を行う（Ｓ７０５）。
【産業上の利用可能性】
【００３３】
本発明にかかる映像は、ディスプレイ上にタッチパネルを備えた携帯端末上で映像コンテンツの表示を行う際に有用である。
【図面の簡単な説明】
【００３４】
【図１】本発明の実施形態で携帯端末に設定する除去操作領域の概略図
【図２】本発明の実施形態で映像から非映像領域を除去した場合の表示例
【図３】本発明の実施形態の構成図
【図４】除去領域に接触することで非映像領域を除去する処理のフローチャート
【図５】ディスプレイのアスペクトが４：３で映像コンテンツのアスペクトが１６：９の場合に除去操作を行った場合の表示遷移例
【図６】ディスプレイのアスペクトが１６：９で映像コンテンツのアスペクトが４；３の場合に除去操作を行った場合の表示遷移例
【図７】除去領域内で除去サイズを設定することで非映像領域を除去する処理のフローチャート
【図８】左右か上下どちらかの除去領域で除去サイズを設定して除去を行う場合のユーザ操作
【図９】上下領域と左右除去領域で同時に除去サイズを設定して除去を行う場合のユーザ操作
【図１０】アスペクトが４：３のディスプレイにアスペクトが４：３の映像コンテンツを表示した場合の表示遷移例
【図１１】アスペクトが４：３のディスプレイにアスペクトが１６：９の映像コンテンツを表示した場合の表示遷移例１
【図１２】アスペクトが４：３のディスプレイにアスペクトが１６：９の映像コンテンツを表示した場合の表示遷移例２
【図１３】アスペクトが１６：９のディスプレイにアスペクトが４：３の映像コンテンツを表示した場合の表示遷移例１
【図１４】アスペクトが１６：９のディスプレイにアスペクトが４：３の映像コンテンツを表示した場合の表示遷移例２
【図１５】アスペクトが１６：９のディスプレイにアスペクトが１６：９の映像コンテンツを表示した場合の表示遷移例
【符号の説明】
【００３５】
１００  上下除去操作検出領域
１０１  左右除去操作検出領域
３００  ディスプレイ
３０１  タッチパネル
３０２  映像解析部
３０３  除去操作検出領域設定部
３０４  除去領域判断部
３０５  選択入力部
３０６  除去操作検出領域
【図１】
2009015573.tif 000003
【図２】
2009015573.tif 000004
【図３】
2009015573.tif 000005
【図４】
2009015573.tif 000006
【図５】
2009015573.tif 000007
【図６】
2009015573.tif 000008
【図７】
2009015573.tif 000009
【図８】
2009015573.tif 000010
【図９】
2009015573.tif 000011
【図１０】
2009015573.tif 000012
【図１１】
2009015573.tif 000013
【図１２】
2009015573.tif 000014
【図１３】
2009015573.tif 000015
【図１４】
2009015573.tif 000016
【図１５】
2009015573.tif 000017